(57)【要約】【課題】カウンター縁部からの湯水の垂れ落ちを防ぐとともに、快適に入浴することのできる洗い場用カウンターを提供する。【解決手段】浴室の洗い場に設けられるカウンターＡであって、該カウンターＡの上面１は壁面Ｗ側から手前下がりに傾斜し、かつ、該カウンターＡの手前側には縁部２が設けられるとともに、この縁部２の内側には、この縁部２に沿って湯水を案内し、排出する溝部３が設けられ、上記縁部２自身は湯水の水返しを形成することを特徴とする洗い場用カウンター。【選択図】図１
2005052310.tif 000002
【特許請求の範囲】
【請求項１】
浴室の洗い場に設けられるカウンターであって、該カウンターの上面は壁面側から手前下がりに傾斜し、かつ、該カウンターの手前側には縁部が設けられるとともに、この縁部の内側には、この縁部に沿って湯水を案内し、排出する溝部が設けられ、上記縁部自身は湯水の水返しを形成することを特徴とする洗い場用カウンター。
【請求項２】
上記カウンター上面手前中央部に湯水が集まるように、さらに凹状の傾斜部が設けられた請求項１に記載の洗い場用カウンター。
【請求項３】
上記縁部が膨出して円弧状をなすとともに、該カウンター上面よりも高く突設された請求項１に記載の洗い場用カウンター。
【請求項４】
上記溝部は側断面Ｕ字型とされるとともに、その端部に設けられた排出口に向けて水勾配が付けられた請求項１に記載の洗い場用カウンター。
【請求項５】
上記溝部より壁面側のカウンター上面に複数の突起部よりなる洗面器用ストッパーが設けられた請求項１に記載の洗い場用カウンター。
【発明の詳細な説明】
【技術分野】
【０００１】
本発明は、浴室の洗い場に設置されるカウンターに関する。さらに詳しくは、カウンター縁部から湯水が垂れ落ちることのないカウンターの構造に関する。
【背景技術】
【０００２】
浴室の洗い場に設置されたカウンターに洗面器、石けん等を載置し、湯水を使ったとき、カウンター縁部から垂れ落ちる湯水が、洗い場部で身体を洗う入浴者に掛ったり、あるいは、床面を流れて足下周辺を流れたり、滞ったりするため、入浴者が不快な思いをすることが多い。このような問題を解決するために、種々のカウンターの構造が提案されている（例えば、特許文献１、２、３参照。）。
【特許文献１】特開平１１−１０１０１０号公報（第１−３頁、第１図）
【特許文献２】特開２００３−４５２号公報（第１−３頁、第１図）
【特許文献３】特開２００１−２０４６４６号公報（第１−４頁、第２図）
【発明の開示】
【発明が解決しようとする課題】
【０００３】
しかしながら、上記いずれの先行技術によっても、上記した問題を解決するには十分とはいえず、さらに優れたカウンターの構造が求められている。本発明は、このような状況の下で考え出されたものであって、カウンター縁部からの湯水の垂れ落ちを防ぐとともに、快適に入浴することのできる洗い場用カウンターを提供することをその課題とする。
【課題を解決するための手段】
【０００４】
本発明は、上記課題を解決するために考え出されたものであって、つぎのような技術的手段を講じている。すなわち、本発明によれば、浴室の洗い場に設けられるカウンターであって、該カウンターの上面は壁面側から手前下がりに傾斜し、かつ、該カウンターの手前側には縁部が設けられるとともに、この縁部の内側には、この縁部に沿って湯水を案内し、排出する溝部が設けられ、上記縁部自身は湯水の水返しを形成することを特徴とする洗い場用カウンターが提供される。好ましくは、上記カウンター上面手前中央部に湯水が集まるように、さらに凹状の傾斜部が設けられる。
【０００５】
上記縁部が膨出して円弧状をなすとともに、該カウンター上面よりも高く突設され、また、上記溝部は側断面Ｕ字型とされるとともに、その端部に設けられた排出口に向けて水勾配を付けることが好ましい。
【０００６】
また、上記溝部より壁面側のカウンター上面に複数の突起部よりなる洗面器用ストッパーを設けることが好ましい。
【発明の効果】
【０００７】
本発明の請求項１に記載の洗い場用カウンターは上記のとおり、該カウンターの上面は壁面側から手前下がりに傾斜し、かつ、該カウンターの手前側には縁部が設けられるとともに、この縁部の内側には、この縁部に沿って湯水を案内し、排出する溝部が設けられ、上記縁部自身は水返しを形成しているため、上記カウンター縁部からの湯水の垂れ落ちを防いで溝部に案内し、快適に入浴することができる。
【０００８】
上記カウンター上面手前中央部に湯水が集まるように、さらに凹状の傾斜部が設けられているため、傾斜面を流下した湯水は、上記凹状傾斜部に集められ、カウンター上面に滞留することなく溝部を経て排出される。
【０００９】
上記縁部が膨出して円弧状をなすとともに、該カウンターの上面よりも高く突設されているため、湯水の水返しとして機能するとともに、洗面器の滑り止め用のストッパーとしても機能する。
【００１０】
上記溝部は側断面Ｕ字型とされるとともに、その端部に設けられた排出口に向けて水勾配が付けられているため、溝部に案内された湯水は、排出口に向けて容易に流れ、排出される。
【００１１】
上記溝部より壁面側のカウンター上面に複数の突起部よりなる洗面器用ストッパーが設けられているため、上記複数の突起部が小さなサイズの洗面器を係止して滑りを止める。その結果、大きなサイズの洗面器は上記縁部が、小さなサイズの洗面器は複数の突起部がストッパーとなり、洗面器の大きさに関わらず載置できる洗い場用カウンターを提供することができる。
【発明を実施するための最良の形態】
【００１２】
以下、本発明の実施形態について図面を参照して、詳細に説明する。図１は、本発明にかかる洗い場用カウンターＡを示す斜視図であり、図２は、その平面図、図３は、図１におけるＸ−Ｘ線に沿う側断面図である。図１から明らかなように、洗い場用カウンターＡは、浴室の壁面Ｗにビス５によって固定されており、その上面１は、壁面Ｗ側から手前下がりに傾斜するようにされている。また、図２、図３に示すように、上記カウンターＡの手前側には、その上面１よりも高い円弧状の縁部２が突設され、縁部２の内側には、この縁部２に沿って湯水を案内し、排出するための溝部３が設けられている。
【００１３】
図２に矢印で示すように、また、図３から明らかなように、壁面側から手前下がりに傾斜する上面１の傾斜面１１の手前側中央部には、さらに凹状の傾斜部１２が設けられている。上記傾斜面１１を流下した湯水は、上記凹状傾斜部１２に集められ、溝部３に案内され、排出される。図２によく示されているように、側断面Ｕ字型の溝部３の端部には、排出口３１が設けられるとともに、湯水が容易に流れるように、この排出口３１に向けて、図示しない水勾配が付けられている。
【００１４】
このように構成されたカウンターＡに洗面器を載せたとき、上面１は濡れており、傾斜しているため、洗面器が手前に滑り落ち易くなっている。そこで、上面１よりも高く突設された縁部２は、湯水の水返しとして機能するとともに、図４に示す如く、洗面器Ｓの滑りを止めるためのストッパーとしても機能する。すなわち、縁部２は膨出した円弧状であるため、洗面器Ｓの円形の周囲に沿ってしっかりと支え、洗面器Ｓが、カウンターＡから滑り落ちることを防ぐ。
【００１５】
しかしながら、洗面器Ｓが小さい場合は、縁部２をストッパーとすると、洗面器Ｓが手前になり過ぎて使い勝手が悪い場合がある。そのときは図５に示す如く、２個の突起部４１、４２からなる洗面器用ストッパー４を溝部３よりも壁面Ｗ側の上面１１に突設するとともに、該２個の突起部４１、４２によって、洗面器Ｓを係止するのである。このように、複数の突起部からなる洗面器用ストッパー４を設けることによって、洗面器が大きい場合は縁部２が、小さい場合は２個の突起部４１、４２がストッパーとなるため、洗面器の大きさに関わらず載置できる洗い場用カウンターを提供することができる。
【図面の簡単な説明】
【００１６】
【図１】本発明にかかる洗い場用カウンターを示す斜視図である。
【図２】本発明にかかる洗い場用カウンターを示す平面図である。
【図３】図１におけるＸ−Ｘ線に沿う側断面図である。
【図４】縁部が洗面器の滑り止め用ストッパーとして機能している状態を示す側断面図である。
【図５】複数の突起部からなるストッパーによって、洗面器が係止されている状態を示す斜視図である。
【符号の説明】
【００１７】
Ａ          本発明にかかる洗い場用カウンター
１          上記洗い場用カウンターにおける上面
１１        上面における手前下がりの傾斜面
１２        上面における凹状傾斜部
２          縁部
３          溝部
３１        排出口
４          洗面器用ストッパー
４１、４２  突起部
５          固定用ビス
Ｓ          洗面器
Ｗ          壁面
【図１】
2005052310.tif 000003
【図２】
2005052310.tif 000004
【図３】
2005052310.tif 000005
【図４】
2005052310.tif 000006
【図５】
2005052310.tif 000007